(57)【要約】      （修正有）【課題】卓上カレンダーとして使用できると共に筆記用具、印鑑、ホチキス等の小物の整理等も図ることができる小物収容ボックス付卓上カレンダーを提供する。【解決手段】小物収容ボックス付卓上カレンダー１０の基板の一端部には背面板１４が第１折線１６を介して連続形成されている。背面板１４の両側には側面視三角形状の側面板１８，１８が第２折線２０を介して連続形成されている。基板には収容箱２２，２２が接着されて設けられている。これら収容箱２２，２２には引き出し２４，２４が設けられている。背面板１４には収容ボックス部２６が接着され配設されている。収容ボックス部２６の正面板部２６Ｂには第３折線３０を介してカレンダー取付片３２が連続形成されている。このカレンダー取付片３２の正面にはマンスリーカレンダーが、背面には年間カレンダーが取り付けられている。【選択図】図１
0003131698.tif 000002
【実用新案登録請求の範囲】
【請求項１】
基板と、この基板の一端部に第１折線を介して連続形成された背面板と、この背面板の両側に第２折線を介して連続形成された側面板と、前記基板に取り付けられた収容箱と、前記背面板に取り付けられると共にボックス折線を介して折り畳めることが可能な収容ボックス部と、この収容ボックス部の正面板部に第３折線を介して回動可能に設けられたカレンダー取付片と、このカレンダー取付片に取り付けられたカレンダーと、を有してなることを特徴とする小物収容ボックス付卓上カレンダー。
【請求項２】
矩形状に形成された基板と、この基板の一端部に第１折線を介して連続形成された矩形状の背面板と、この背面板の両側に第２折線を介して連続形成された側面板と、前記基板に取り付けられた収容箱と、前記背面板に取り付けられると共にボックス折線を介して折り畳めることが可能な収容ボックス部と、この収容ボックス部の内部に複数形成されると共に小物を収容できるボックスと、前記収容ボックス部の正面板部に第３折線を介して回動可能に設けられたカレンダー取付片と、このカレンダー取付片の正面及び裏面に取り付けられたカレンダーと、を有してなることを特徴とする小物収容ボックス付卓上カレンダー。
【請求項３】
矩形状に形成された基板と、この基板の一端部に第１折線を介して連続形成された矩形状の背面板と、この背面板の両側に第２折線を介して連続形成された三角形状の側面板と、前記基板に取り付けられた収容箱と、前記背面板に取り付けられると共にボックス折線を介して折り畳めることが可能な収容ボックス部と、この収容ボックス部の内部に複数形成されると共に小物を収容できるボックスと、前記収容ボックス部の正面板部に第３折線を介して回動可能に設けられたカレンダー取付片と、このカレンダー取付片の正面及び裏面に取り付けられたカレンダーと、を有してなることを特徴とする小物収容ボックス付卓上カレンダー。
【考案の詳細な説明】
【技術分野】
【０００１】
本考案は、デスク等の上に置いて使用する卓上カレンダーに関し、詳しくは筆記用具、印鑑、ホチキス等のデスク回りの小物を収容できるボックスを備えてなる小物収容ボックス付卓上カレンダーに関する。
【背景技術】
【０００２】
従来より、種々のタイプの卓上カレンダーが提案されている。しかし、従来の卓上カレンダーは筆記用具、印鑑、ホチキス等のデスク回りの小物を収容するボックスは設けられていない。
このため、デスクワークでよく使用される筆記用具、印鑑、ホチキス等の小物を整理、整頓する場合はデスクの引き出しにしまったり別途に購入した小物入れ等に収容することにより行っている。
【考案の開示】
【考案が解決しようとする課題】
【０００３】
本考案は、上記事実に鑑みなされたものであり卓上カレンダーとして使用することは勿論、筆記用具、印鑑、ホチキス等のデスク回りの小物の整理、整頓も図ることができる小物収容ボックス付卓上カレンダーを提供するものである。
【課題を解決するための手段】
【０００４】
請求項１の考案は、基板と、この基板の一端部に第１折線を介して連続形成された背面板と、この背面板の両側に第２折線を介して連続形成された側面板と、前記基板に取り付けられた収容箱と、前記背面板に取り付けられると共にボックス折線を介して折り畳めることが可能な収容ボックス部と、この収容ボックス部の正面板部に第３折線を介して回動可能に設けられたカレンダー取付片と、このカレンダー取付片に取り付けられたカレンダーと、を有してなることを特徴としている。
請求項２の考案は、矩形状に形成された基板と、この基板の一端部に第１折線を介して連続形成された矩形状の背面板と、この背面板の両側に第２折線を介して連続形成された側面板と、前記基板に取り付けられた収容箱と、前記背面板に取り付けられると共にボックス折線を介して折り畳めることが可能な収容ボックス部と、この収容ボックス部の内部に複数形成されると共に小物を収容できるボックスと、前記収容ボックス部の正面板部に第３折線を介して回動可能に設けられたカレンダー取付片と、このカレンダー取付片の正面及び裏面に取り付けられたカレンダーと、を有してなることを特徴としている。
請求項３の考案は、矩形状に形成された基板と、この基板の一端部に第１折線を介して連続形成された矩形状の背面板と、この背面板の両側に第２折線を介して連続形成された三角形状の側面板と、前記基板に取り付けられた収容箱と、前記背面板に取り付けられると共にボックス折線を介して折り畳めることが可能な収容ボックス部と、この収容ボックス部の内部に複数形成されると共に小物を収容できるボックスと、前記収容ボックス部の正面板部に第３折線を介して回動可能に設けられたカレンダー取付片と、このカレンダー取付片の正面及び裏面に取り付けられたカレンダーと、を有してなることを特徴としている。
【考案の効果】
【０００５】
本考案の小物収容ボックス付卓上カレンダーは、カレンダーとして使用することができると共に筆記用具、印鑑、ホチキス等のデスク回りの小物の整理、整頓を図ることができるという優れた効果を有する。
また、本考案の小物収容ボックス付卓上カレンダーは、上記優れた効果の他に扁平状に折り畳むことができるので包装箱に収容してプレゼント等に使用しやすくなるという優れた効果を有する。
さらに、本考案の小物収容ボックス付卓上カレンダーは、上記優れた効果の他に扁平状に折り畳むことができるので嵩張らず運搬や保管に便利であるという優れた効果を有する。
【考案を実施するための最良の形態】
【０００６】
考案を実施するために最良の形態の例として以下のような実施例を示す。
【実施例１】
【０００７】
図１〜図５には本考案の小物収容ボックス付卓上カレンダーの一実施例が示されている。
図１に示されるように、この小物収容ボックス付卓上カレンダー１０は厚紙で立体形状に形成されている。
図３に示されるように、この小物収容ボックス付卓上カレンダー１０の基板１２は平面視矩形状に形成されている。この基板１２の一端部には矩形状の背面板１４が第１折線１６（図２参照）を介して連続形成されている。
図２に示されるように、前記背面板１４の両側には側面視三角形状の側面板１８，１８が第２折線２０，２０を介してそれぞれ連続形成されている。
図３に示されるように、前記基板１２には収容箱２２，２２が２個並んだ状態で接着されて設けられている。これら収容箱２２，２２には消しゴム等の小物を入れることができる引き出し２４，２４が出し入れ可能に設けられている。
図１に示されるように、前記背面板１４には収容ボックス部２６が接着され配設されている。この収容ボックス部２６の内部には筆記用具、印鑑、ホチキス等の小物（図示せず）を収容することができるボックス２８が複数（実施例では６個）形成されている。前記収容ボックス部２６は図４、図５に示されるようにボックス折線２９を介して扁平状に折り畳めることができるようになっている。
図１及び図２に示されるように、前記側面板１８，１８は第２折線２０，２０で折られて前記収容ボックス部２６の側面に位置して収容ボックス部２６の側面板部２６Ａ，２６Ａにそれぞれ接着されている。
図２に示されるように、前記収容ボックス部２６の正面板部２６Ｂには第３折線３０を介して矩形状のカレンダー取付片３２が連続形成されている。このカレンダー取付片３２は第３折線３０によって前記収容ボックス部２６の正面板部２６Ｂに対して図２矢印方向に回動可能になっている。
図１に示されるように、このカレンダー取付片３２の正面には１月から１２月までの１２枚のマンスリーカレンダー３４が取り付けられている。なお、前記カレンダー取付片３２の下端部３２Ａは前記収容箱２２，２２に当接するのでカレンダー取付片３２に取り付けられたマンスリーカレンダー３４は図１に示されるように傾斜状態になるのでマンスリーカレンダー３４が見易くなる。
また、前記カレンダー取付片３２の背面には図２に示されるように１月から１２月までの月日を一目で見ることができる年間カレンダー３６が貼付されている。
【０００８】
実施例の小物収容ボックス付卓上カレンダー１０の作用を説明する。
図１に示されるように、前記小物収容ボックス付卓上カレンダー１０の前記収容ボックス部２６の正面板部２６Ｂに設けられたカレンダー取付片３２の正面には１月から１２月までのマンスリーカレンダー３４が取り付けられている。また、前記カレンダー取付片３２の背面には年間カレンダー３６が貼付されているので図２に示されるように、カレンダー取付片３２を回動させて捲れば年間カレンダー３６を見ることができる。
従って、前記小物収容ボックス付卓上カレンダー１０はマンスリーカレンダー３４又は年間カレンダー３６を見ることにより卓上カレンダーとして使用することができる。
また、前記小物収容ボックス付卓上カレンダー１０には収容ボックス部２６が設けられているので、収容ボックス部２６のボックス２８に筆記用具、印鑑、ホチキス等の小物（図示せず）を収容することにより筆記用具、印鑑、ホチキス等のデスク回りの小物の整理、整頓を図ることができる。さらに、小物収容ボックス付卓上カレンダー１０には収容箱２２，２２が設けられ、収容箱２２，２２には消しゴム等の小物を入れることができる引き出し２４，２４が設けられている小物の整理、整頓を図ることができる。
なお、前記小物収容ボックス付卓上カレンダー１０は側面板１８，１８を第２折線２０，２０で折ると共にボックス部２６をボックス折線２９で折って図４の状態にし、さらに基板１２を第１折線１６で折れば図５に示すように基板１２を背面板１４の後に折り畳むことができる。
従って、前記小物収容ボックス付卓上カレンダー１０は収容箱２２，２２を除いて扁平状態にすることができるので、お洒落な包装箱（図示せず）に入れたり、あるいは入れた包装箱をリボン等で飾り付ければ素敵なプレゼントにすることができる。
また、前記小物収容ボックス付卓上カレンダー１０は上述したように扁平状態にすることができるので運搬や保管をする場合に扁平状態に折り畳めば嵩張らず便利である。
【０００９】
なお、実施例では小物収容ボックス付卓上カレンダー１０を厚紙で形成したが、小物収容ボックス付卓上カレンダー１０は厚紙以外の材料で形成してもよいことは勿論である。
【図面の簡単な説明】
【００１０】
【図１】実施例の小物収容ボックス付卓上カレンダーの全体斜視図である。
【図２】実施例の小物収容ボックス付卓上カレンダーのカレンダー取付片を捲った状態の斜視図である。
【図３】実施例の小物収容ボックス付卓上カレンダーの背面板を第１折線を介して折り返した状態の平面図である。
【図４】実施例の小物収容ボックス付卓上カレンダーの側面板とボックス部を折り畳んだ状態の平面図である。
【図５】実施例の小物収容ボックス付卓上カレンダーの側面板とボックス部と基板を折り畳んだ状態の平面図である。
【符号の説明】
【００１１】
１０    小物収容ボックス付卓上カレンダー
１２    基板
１４    背面板
１６    第１折線
１８    側面板
２０    第２折線
２２    収容箱
２４    引き出し
２６    収容ボックス部
２８    ボックス
２９    ボックス折線
３０    第３折線
３２    カレンダー取付片
３４    マンスリーカレンダー
３６    年間カレンダー
【図１】
0003131698.tif 000003
【図２】
0003131698.tif 000004
【図３】
0003131698.tif 000005
【図４】
0003131698.tif 000006
【図５】
0003131698.tif 000007